(57)【要約】【課題】壁面への取付時の作業性に優れた直列ユニットを提供する。【解決手段】直列ユニット１は、テレビ端子６以外に、ユニット筐体３に対して回転可能に枢着されたＬ字型の入力端子５及び出力端子８を備える。これら入力端子５及び出力端子８は、直列ユニット１をスイッチボックスに収納した時に、入力端子５の回転面（ケーブルのコネクタが着脱される着脱端１５の中心軸がなす平面）が、スイッチボックスの開口面と直交し、出力端子８の回転面がスイッチボックスの開口面と平行となるように配置されていると共に、出力端子８の回転範囲は水平方向を０°として±９０°以上と成るように構成されている。【選択図】図１
2008091318.tif 000002
【特許請求の範囲】
【請求項１】
中心導体および該中心導体と同心的に設けられた外部導体を有する円筒状接栓座から成る入力端子および出力端子、ならびにテレビ端子と、前記入力端子および出力端子、ならびにテレビ端子を支持するユニット筐体とを備え、各端子は、前記外部導体が前記ユニット筐体を介して電気的に接続され、前記中心導体はユニット筐体内部に形成された空間内において電気的に接続された直列ユニットにおいて、
前記入力端子および出力端子は、いずれも、前記ユニット筐体との接続端の向きとケーブル側の端子が着脱される着脱端の向きとが直交する形状を有し、且つ、前記ユニット筐体との接続端において回転可能な可動端子として構成され、しかも、両可動端子の回転により前記着脱端の中心軸がなす平面が、互いに交差するように配設されていることを特徴とする直列ユニット。
【請求項２】
前記可動端子のいずれか一方は、該可動端子の回転により前記着脱端の中心軸がなす平面が前記テレビ端子の中心軸に直交するように配設されていることを特徴とする請求項１に記載の直列ユニット。
【請求項３】
中心導体および該中心導体と同心的に設けられた外部導体を有する円筒状接栓座から成る入力端子および出力端子、ならびにテレビ端子と、前記入力端子および出力端子、ならびにテレビ端子を支持するユニット筐体とを備え、各端子は、前記外部導体が前記ユニット筐体を介して電気的に接続され、前記中心導体はユニット筐体内部に形成された空間内において電気的に接続された直列ユニットにおいて、
前記入力端子および出力端子のうち少なくとも一方は、前記ユニット筐体との接続端の向きとケーブル側の端子が着脱される着脱端の向きとが直交する形状を有し、且つ、前記ユニット筐体との接続端において回転可能な可動端子として構成され、しかも、該可動端子の回転により前記着脱端の中心軸がなす平面が、前記テレビ端子の中心軸に直交するように配設されていることを特徴とする直列ユニット。
【請求項４】
前記ユニット筐体は、前記テレビ端子が形成された面を前面とする第１筐体部、及び該第１筐体部の背面の一部に突設され、前記第１筐体部の内部に形成された空間と連設した空間を内部に有する第２筐体部を備えた形状に形成され、
前記入力端子及び出力端子のうち、一方の端子は前記第１筐体の背面に配置され、他方の端子は前記第１筐体部の背面から立設された前記第２筐体部の側面に配置されていることを特徴とする請求項１乃至請求項３のいずれかに記載の直列ユニット。
【請求項５】
中心導体および該中心導体と同心的に設けられた外部導体を有する円筒状接栓座から成る入力端子およびテレビ端子と、前記入力端子およびテレビ端子を支持するユニット筐体とを備え、各端子は、前記外部導体が前記ユニット筐体を介して電気的に接続され、前記中心導体はユニット筐体内部に形成された空間内において電気的に接続された直列ユニットにおいて、
前記入力端子は、前記ユニット筐体との接続端の向きとケーブル側の端子が着脱される着脱端の向きとが直交する形状を有し、且つ、前記ユニット筐体との接続端において回転可能な可動端子として構成され、しかも、該可動端子の回転により前記着脱端の中心軸がなす平面が、前記テレビ端子の中心軸に直交するように配設されていることを特徴とする直列ユニット。
【請求項６】
前記可動端子の回転範囲は１８０°より大きいことを特徴とする請求項１乃至請求項５のいずれかに記載の直列ユニット。
【請求項７】
前記入力端子の代わりに、前記ユニット筐体との接続端と、ケーブル側の端子が着脱され、一方が入力用に他方が出力用に使用される一対の着脱端とを有する二又端子を備えることを特徴とする請求項１乃至請求項６のいずれかに記載の直列ユニット。
【請求項８】
前記可動端子の前記着脱端が、同軸ケーブルの先端に接続されたＦ型プラグを接続可能なＦ型コネクタからなることを特徴とする請求項１乃至請求項７のいずれかに記載の直列ユニット。
【請求項９】
前記可動端子の接続端は、前記外部導体が前記ユニット筐体と電気的接続を保ち、且つ当該接続端の中心軸を回転軸として当該可動端子が回動するように、前記ユニット筐体に形成された取付孔に枢着される構造を有することを特徴とする請求項１乃至請求項８のいずれかに記載の直列ユニット。
【請求項１０】
前記ユニット筐体は、前記取付孔を２分割するように形成された一対の分割筐体を一体に固着した構造を有し、
前記可動端子の前記接続端の外周面、及び前記分割筐体の前記取付孔を形成するを取付孔形成縁には、一方が溝部、他方が前記溝と係合する凸部となる端子側接続手段及び筐体側接続手段が形成され、
前記端子側接続手段を、前記一対の分割筐体にそれぞれ形成された筐体側接続手段で挟み込むことによって、前記可動端子は前記ユニット筐体に枢着可能に組みつけられていることを特徴とする請求項９に記載の直列ユニット。
【請求項１１】
前記可動端子の接続端は、
前記取付孔を挿通可能な挿通部と、
前記取付孔の孔径より大径に形成された鍔部と、
前記挿通部の外周面上、かつ、少なくとも前記取付孔の形成部位における前記ユニット筐体の壁面の厚さに等しい長さだけ前記鍔部から離れた位置に形成された溝部と、
を有し、
前記取付孔に前記挿通部を挿通させた状態で、前記溝部に前記取付孔の孔径より大径の係止片を固定することによって、前記可動端子は前記ユニット筐体に枢着可能に組み付けられていることを特徴とする請求項９に記載の直列ユニット。
【請求項１２】
前記可動端子と前記ユニット筐体との間には、座金が挿入されていることを特徴とする請求項１乃至請求項１１のいずれかに記載の直列ユニット。
【発明の詳細な説明】
【技術分野】
【０００１】
本発明は、主にテレビ受信システムに利用される直列ユニットに関し、詳しくは特に既設の直列ユニットをリニューアルする場合に作業性のよい直列ユニットの構造に関する。
【背景技術】
【０００２】
従来より、アウトレット端子（テレビ端子ともいう）として同軸接栓座を用い、入力端子および出力端子として同軸ケーブルの先端を所定寸法に加工したものを直接接続する、所謂直付けタイプと呼ばれる直列ユニットが知られている（例えば、特許文献１参照）。
【０００３】
また、近年では、地上テレビ放送ばかりでなく、衛星放送を受信するために、衛星コンバータから出力される中間周波数帯の信号を通過させる必要があり、直列ユニットも超広帯域な周波数特性を求められている。このため、アウトレット端子だけでなく、入力端子や出力端子にも、高周波特性やシールド性に優れた同軸接栓座を用いた直列ユニットが主流となっている。
【０００４】
この同軸接栓タイプの直列ユニットでは、略直方体に形成されたハウジングの前面（室内の壁面に沿って配置される面）にアウトレット端子用接栓座を突設すると共に、前記ハウジングの平坦な下面に少なくとも１つの接栓を突設した形状を有するものが一般的である（例えば、特許文献２参照）。
【特許文献１】特許３０６６５４２号公報
【特許文献２】特開２０００−１７３７３０号公報
【発明の開示】
【発明が解決しようとする課題】
【０００５】
ところで、現状は、ＵＨＦ帯を用いた地上ディジタル放送が各地で放送開始を迎え、２０１１年には地上アナログ放送が終了する状況にある。しかし、従来の直付けタイプの直列ユニットを用いて構成された受信システムにおいて地上ディジタル放送を受信しようとすると、シールド性の低い直付け部分から外部の妨害電波等が混入する等して、ディジタル放送特有のブロックノイズが映像に現れたり、映像が遮断してしまったりする場合があるという問題があった。
【０００６】
そこで、直付けタイプの直列ユニットを、上記特許文献２に示されているような高周波特性およびシールド性に優れた（イミュニティ特性のよい）直列ユニットに取替えることによって、妨害のない美しい画像の地上ディジタル放送の提供を可能とすることが行われている。
【０００７】
なお、直列ユニットは従来例に示されているように、壁面に設置されたアウトレットボックスやスイッチボックスに取付けられているのが一般的であり、その収納スペースは間口も奥行も極めて狭い限られた空間である。従って、壁面内を引き回されてきた同軸ケーブルは、スイッチボックス等に余長部分を残して収納するような配線はできず、直付けタイプの直列ユニットを取付ける最適な寸法で同軸ケーブルが配設されることになる。つまり、スイッチボックス内に引き込まれている同軸ケーブルは、更に引き出すこともできないし、引き込まれる位置や方向を替える事もできない。
【０００８】
そして、直列ユニットを直付けタイプから同軸接栓座タイプに取替える場合、直付けタイプの直列ユニットから取り外された同軸ケーブルの先端に、同軸接栓座との接続を可能とするためのＦ型同軸ケーブルコネクタを取付ける必要がある。
【０００９】
この場合、具体的には、直付けされていた同軸ケーブルの先端部分をニッパ等で切断した後、あらためて同軸ケーブルの先端部分を、前記Ｆ型同軸ケーブルコネクタに対応した所定長に加工して取付けることになるため、コネクタが取り付けられた同軸ケーブルは、更に短くて余裕のないものとなる。
【００１０】
従って、既設の同軸ケーブルの配線状態によっては、同軸接栓座タイプの直列ユニットに取り替えても、同軸ケーブルの接続ができなかったり、接続できたとしてもスイッチボック等に収納できなかったり、接続や収納ができたとしてもその作業に大きな手間を要したりする場合があるという問題があった。
【００１１】
そこで本発明は、こうした問題点を解決するためになされたものであり、その目的は、壁面への取付時の作業性に優れた直列ユニットを提供することにある。
他の目的は、既設の直付けタイプの直列ユニットの取り替え用として好適な直列ユニットを提供することにある。
【００１２】
他の目的は、既設の直付けタイプの直列ユニットの取り替え時の作業性の極めてよい直列ユニットを提供することにある。
【課題を解決するための手段】
【００１３】
上記課題を解決するために、請求項１の発明は、中心導体および該中心導体と同心的に設けられた外部導体を有する円筒状接栓座から成る入力端子および出力端子、ならびにテレビ端子と、前記入力端子および出力端子、ならびにテレビ端子を支持するユニット筐体と、からなり、各端子は、前記外部導体が前記ユニット筐体を介して電気的に接続され、前記中心導体はユニット筐体内部に形成された空間内において電気的に接続された直列ユニットにおいて、前記入力端子および出力端子は、いずれも、前記ユニット筐体との接続端の向きとケーブル側の端子が着脱される着脱端の向きとが直交する形状を有し、且つ、前記ユニット筐体との接続端において回転可能な可動端子として構成され、しかも、両可動端子の回転により前記着脱端の中心軸がなす平面が、互いに交差するように配設されていることを特徴とする。
【００１４】
請求項２の発明は、請求項１に記載の直列ユニットにおいて、前記可動端子のいずれか一方は、該可動端子の回転により前記着脱端の中心軸がなす平面が前記テレビ端子の中心軸に直交するように配設されていることを特徴とする。
【００１５】
請求項３の発明は、中心導体および該中心導体と同心的に設けられた外部導体を有する円筒状接栓座から成る入力端子および出力端子、ならびにテレビ端子と、前記入力端子および出力端子、ならびにテレビ端子を支持するユニット筐体とを備え、各端子は、前記外部導体が前記ユニット筐体を介して電気的に接続され、前記中心導体はユニット筐体内部に形成された空間内において電気的に接続された直列ユニットにおいて、前記入力端子および出力端子のうち少なくとも一方は、前記ユニット筐体との接続端の向きとケーブル側の端子が着脱される着脱端の向きとが直交する形状を有し、且つ、前記ユニット筐体との接続端において回転可能な可動端子として構成され、しかも、該可動端子の回転により前記着脱端の中心軸がなす平面が、前記テレビ端子の中心軸に直交するように配設されていることを特徴とする。
【００１６】
請求項４の発明は、請求項１乃至請求項３のいずれかに記載の直列ユニットにおいて、前記ユニット筐体は、前記テレビ端子が形成された面を前面とする第１筐体部、及び該第１筐体部の背面の一部に突設され、前記第１筐体部の内部に形成された空間と連設した空間を内部に有する第２筐体部を備えた形状に形成され、前記入力端子及び出力端子のうち、一方の端子は前記第１筐体の背面に配置され、他方の端子は前記第１筐体部の背面から立設された前記第２筐体部の側面に配置されていることを特徴とする。
【００１７】
請求項５の発明は、中心導体および該中心導体と同心的に設けられた外部導体を有する円筒状接栓座から成る入力端子およびテレビ端子と、前記入力端子およびテレビ端子を支持するユニット筐体とを備え、各端子は、前記外部導体が前記ユニット筐体を介して電気的に接続され、前記中心導体はユニット筐体内部に形成された空間内において電気的に接続された直列ユニットにおいて、前記入力端子は、前記ユニット筐体との接続端の向きとケーブル側の端子が着脱される着脱端の向きとが直交する形状を有し、且つ、前記ユニット筐体との接続端において回転可能な可動端子として構成され、しかも、該可動端子の回転により前記着脱端の中心軸がなす平面が、前記テレビ端子の中心軸に直交するように配設されていることを特徴とする。
【００１８】
請求項６の発明は、請求項１乃至請求項５のいずれかに記載の直列ユニットにおいて、前記可動端子の回転範囲は１８０°より大きいことを特徴とする。
請求項７の発明は、請求項１乃至請求項６のいずれかに記載の直列ユニットにおいて、前記入力端子の代わりに、前記ユニット筐体との接続端と、ケーブル側の端子が着脱され、一方が入力用に他方が出力用に使用される一対の着脱端とを有する二叉端子を備えることを特徴とする。
【００１９】
請求項８の発明は、請求項１乃至請求項７のいずれかに記載の直列ユニットにおいて、前記可動端子の着脱端が、同軸ケーブルの先端に接続されたＦ型プラグを接続可能なＦ型コネクタからなることを特徴とする。
【００２０】
請求項９の発明は、請求項１乃至請求項８のいずれかに記載の直列ユニットにおいて、前記可動端子の接続端は、前記外部導体が前記ユニット筐体と電気的接続を保ち、且つ当該接続端の中心軸を回転軸として当該可動端子が回動するように、前記ユニット筐体に形成された取付孔に枢着される構造を有することを特徴とする。
【００２１】
請求項１０の発明は、請求項９に記載の直列ユニットにおいて、前記ユニット筐体は、前記取付孔を２分割するように形成された一対の分割筐体を一体に固着した構造を有し、前記可動端子の前記接続端の外周面、及び前記分割筐体の前記取付孔を形成するを取付孔形成縁には、一方が溝部、他方が前記溝と係合する凸部となる端子側接続手段及び筐体側接続手段が形成され、前記端子側接続手段を、前記一対の分割筐体にそれぞれ形成された筐体側接続手段で挟み込むことによって、前記可動端子は前記ユニット筐体に枢着可能に組み付けられていることを特徴とする。
【００２２】
請求項１１の発明は、請求項９に記載の直列ユニットにおいて、前記可動端子の接続端は、前記取付孔を挿通可能な挿通部と、前記取付孔の孔径より大径に形成された鍔部と、前記挿通部の外周面上、かつ、少なくとも前記取付孔の形成部位における前記ユニット筐体の壁面の厚さに等しい長さだけ前記鍔部から離れた位置に形成された溝部とを有し、前記取付孔に前記挿通部を挿通させた状態で、前記溝部に前記取付孔の孔径より大径の係止片を固定することによって、前記可動端子は前記ユニット筐体に枢着可能に組み付けられていることを特徴とする。
【００２３】
請求項１２の発明は、請求項１乃至請求項１１のいずれかに記載の直列ユニットにおいて、前記可動端子と前記ユニット筐体との間には、座金が挿入されていることを特徴とする。
【発明の効果】
【００２４】
本発明では、入力端子及び出力端子のいずれもが回転可能な可動端子として構成され、しかも、両者の回転面が互いに異なるようにされている。このため、壁面に取付けられたスイッチボックスやアウトレットボックス等に引き込まれている引込線の長さに余裕がなくても、可動端子を回転させることにより、引込線をほぼ最短距離で配線することができる。
【００２５】
つまり、既に配線されている引込線の長さや配設方向に制限されることないため、スイッチボックス等の極めて狭い場所であっても、容易に接続作業を行うことができ、ひいては作業時間の短縮を図ることができる。
【００２６】
なお、スイッチボックスやアウトレットボックス等に引き込まれる引き込み線は、一般的には、テレビ端子の中心軸に直交する面に沿って配線される場合が多いため、可動端子のいずれか一方を、その可動端子の回転により着脱端の中心軸がなす平面が、テレビ端子の中心軸に直交するように配設することにより、接続作業の作業性をより確実に向上させることができる。
【００２７】
なお、入力端子及び出力端子は、必ずしもその両方を可動端子として構成する必要はなく、少なくともその一方が、可動端子として構成され、しかも、その可動端子の回転により着脱端の中心軸がなす平面が、テレビ端子の中心軸に直交するように配設されていてもよい。
【００２８】
即ち、上述したように、引込線がテレビ端子の中心軸に直交する面に沿って配線されている状況では、このような構成でも十分に接続作業の作業性を向上させることができる。
この場合、入力端子を可動端子とし、出力端子を省略した構成としてもよい。
【００２９】
また、可動端子の回転範囲を１８０°より大きくすることにより、様々な引込線の配線状況に対してより好適に対応することができる。
更に、入力端子の代わりに二又端子を備えることにより、さまざまな形態の受信システムにより柔軟に対応することができる。
【発明を実施するための最良の形態】
【００３０】
以下に、本発明を具体化した実施形態の例を、図面を基に詳細に説明する。
［第１の実施形態］
＜全体構成＞
図１（ａ）〜（ｄ）は本発明に係る直列ユニットの模式図であり、図１（ａ）は背面図、図１（ｂ）は正面図、図１（ｃ）は側面図、図１（ｄ）は上面図である。尚、以下の説明において方向を示す場合、特に明記されない限リ図１（ｂ）における状態を基準としテレビ端子６が突設する方向を前面若しくは正面とし、図１（ａ）（ｂ）における左右方向及び図１（ｄ）における上下方向を水平方向、図１（ｃ）（ｄ）における左右方向を前後方向、図１（ａ）（ｂ）（ｃ）における上下方向をそのまま上下方向とする。
【００３１】
図１（ａ）〜（ｄ）に示すように、直列ユニット１は、電子部品等を収納する空間を有した箱体からなるユニット筐体３と、ユニット筐体３の背面側に回動可能に取り付けられたＬ字型の入力端子５と、同じくユニット筐体３の背面側に回動可能に取り付けられたＬ字型の出力端子８と、ユニット筐体３の正面側に設けられたテレビ端子６と、ユニット筐体３の正面側に、テレビ端子６が露出した状態となるように取り付けられ、当該直列ユニット１をスイッチボックスに固定するための端子台７とを備えている。
【００３２】
そして、直列ユニット１は、入力端子５から入力された信号を分岐して、出力端子８とテレビ端子６とから出力するように構成されている。
＜端子台の構成＞
端子台７は、図１０に示すように、テレビ端子６を露出させる孔７１と、スイッチボックスに収納される取り付け枠に当該直列ユニットを固定するための係止部７３とを備えた周知のものであり、直列ユニット１はこの取り付け枠を介して、壁等に設けられたスイッチボックスに収納，固定される。
【００３３】
＜各端子の構成＞
図２（ａ）は、ユニット筐体３に対して回動可能に取り付けられる可動端子としての入力端子５及び出力端子８を拡大した側面図であり、図２（ｂ）は正面図、図２（ｃ）は図２（ｂ）におけるＢ−Ｂ線断面図である。
【００３４】
尚、説明を簡単にするために以下の説明では入力端子５について説明し、同様の構成である出力端子８の説明は省略する。
図２（ａ）〜（ｃ）に示すように、入力端子５はＬ字状に接続された中心導体１１，１７と、その中心導体１１，１７に対して同心的（即ち断面が円形の円筒状）に設けられた外部導体１２とを有し、Ｌ字状の外形を有するＦ型接栓座からなる。
【００３５】
なお、以下では、入力端子５において、Ｌ字を形成する二つの部位のうち、ユニット筐体３に取り付けられる側の部位を接続端１６、Ｆ型プラグが着脱される側の部位を着脱端１５と呼ぶ。
【００３６】
また、着脱端１５に設けられた中心導体１１を第１中心導体、接続端１６に設けられた中心導体１７を第２中心導体と呼び、第２中心導体１７の先端部１７ａは、接続端１６の外部導体１２が形成する開口１９から外部導体１２の外部に突出するように構成されている。
【００３７】
また、着脱端１５における外部導体１２の外周面にはネジ山が形成されている。一方、接続端１６には、着脱端１５に連接される側の端面に、外部導体１２の内部空間に貫通する貫通孔１６ａが形成され、その貫通孔１６ａは蓋体１４により閉じられている。更に、接続端１６における外部導体１２の外周面には、ユニット筐体３と電気的接続を保ちながら該ユニット筐体３に形成された後述する筐体側接続手段（図３に示される３０）に枢着するための端子側接続手段２０が形成されている。
【００３８】
この端子側接続手段２０は、接続端１６における外部導体１２の先端部に全周に亘って形成された一対の突起部２１からなり、この一対の突起部２１により溝部２２が形成されている。但し、突起部２１は、溝部２２の底面が接続端１６の中心軸から同心円上に適宜に配設されてさえいればよく、必ずしも全周に亘って設ける必要はない。
【００３９】
第１中心導体１１は、薄板状の金属材を折り曲げ成形することで製造されたものであり、一端側には同軸ケーブルの中心軸を受入れるバネ性を有した受け部１１ａが形成されている。一方、第２中心導体１７は、少なくともその先端部１７ａの断面が略円形状に形成されたピン状のコンタクトピンからなる。
【００４０】
そして、これら中心導体１１，１７は、それぞれ絶縁体１３，１８により、着脱端１５及び接続端１６の中心軸の位置に配置され、且つ、受け部１１ａ，先端部１７ａとは反対側の端部１１ｂ，１７ｂが互いに接触するように保持されている。尚、絶縁体１３，１８は周知の圧入や接着剤等によって外部導体１２の内部に固着される。
【００４１】
また、外部導体１２の内部で互いに接触する中心導体１１，１７の端部１１ｂ，１７ｂは、貫通孔１６ａを介して、例えば半田付け等によって固着される。そして、蓋体１４は、貫通孔１６ａを隙間なく塞ぎ、良好なシールド性が確保されるように、圧入や螺合によって固定される。
【００４２】
また、テレビ端子６（図１（ｂ）参照）は、中心導体と、その中心導体に対して同心的（即ち断面が円形の円筒状）に設けられた外部導体とからなる円筒状接栓座からなり、入力端子５の着脱端１５と同様に構成されている。
【００４３】
＜ユニット筐体の構成＞
次に、ユニット筐体３は、図１（ａ）〜（ｄ）に示すように、前方に位置する第１筐体部３ａと、第１筐体部３ａの背面から後方に突設され、水平方向の寸法が第１筐体部３ａより短い第２筐体部３ｂとからなる。これら第１筐体部３ａと第２筐体部３ｂとは、連続した内部空間を形成するように構成されている。つまり、ユニット筐体３は、上下方向に直交する面に沿った断面形状が略凸の字状となるように構成されている。
【００４４】
そして、入力端子５は、第２筐体部３ｂの水平方向の両側に位置する側面のうち、一方の側面（図１（ａ）中では左側の側面）に突設され、水平方向に沿った軸を中心にして回動するように取り付けられている。また、出力端子８は、入力端子５とは第２筐体部３ｂを挟んで反対側（図１（ａ）中では右側）、且つ第１筐体部３ａの後側面に突設され、前後方向に沿った軸を中心にして回動するように取り付けられている。
【００４５】
つまり、入力端子５は、当該入力端子５を回転させることで着脱端１５の中心軸がなす平面（以下、入力端子５の回転面という）が、水平方向と直交するようにされており、出力端子８は、当該出力端子８を回転させることで着脱端の中心軸がなす平面（以下、出力端子８の回転面という）が前後方向（即ち、テレビ端子６の中心軸に沿った方向）と直交するようにされている。
【００４６】
また、図１（ａ）に示すように、出力端子８を回動させた時に、出力端子８に当接して出力端子の回転範囲を制限する場所に位置する第２筐体部３ｂ側面は、出力端子８の回転範囲が１８０°を超えるように、傾斜が設けられている。なお、本実施形態では、出力端子８の回転角度は、水平方向を０°として±１１０°に設定され、即ち、２２０°の回転範囲を有するように構成されている。
【００４７】
また、ユニット筐体３は、後述するように主として下面を開口した上側筐体３１と、主として上面を開口した下側筐体３２とからなり、これら上下に２分割された上側筐体３１及び下側筐体３２を一体に固着することで形成されている。なお、ユニット筐体３（即ち、上側筐体３１および下側筐体３２）は、例えば、アルミダイカストのような導電材を成形することにより製造されている。
【００４８】
＜ユニット筐体の内部構成＞
次に図３（ａ）（ｂ）を用いてユニット筐体３の内部構成を説明する。
なお、図３（ａ）は図１（ａ）におけるＡ−Ａ線断面図であり、上側筐体３１を外した状態の下側筐体３２と、入力端子５およびテレビ端子６の断面とが示されている。また、図３（ｂ）は下側筐体の一部を破断した斜視図である。但し、上側筐体３１及び下側筐体３２の外形形状は、図面を見やすくするために一部簡略化されている。
【００４９】
図３（ａ）に示すように、下側筐体３２は、主として上面（図における手前）を開口し内部に空間を有する箱体であり、上側筐体３１と組み合わせた時に、その上側筐体３１と接触する下側筐体３２の開口端面３２ａを有する。
【００５０】
また、下側筐体３２の前面壁３３には、テレビ端子６の外部導体を形成する突起が一体的に形成されている。そして、テレビ端子６の内部には、絶縁体によって中心導体９が、その先端部９ａが筐体内部に突設するように保持されている。
【００５１】
下側筐体３２の内部に形成された空間内には、電子部品が組み込まれたプリント配線板５０が組付けられている。このプリント配線板５０は、下側筐体３２内部に形成された複数の突設片３８に半田付け等によって固着されている。つまり、この突設片３８を介して、プリント配線板５０上に形成されたアース側導電体と下側筐体３２との電気的な導通状態が確保されるように構成されている。また、テレビ端子６の中心導体９の先端部９ａは、プリント配線板５０上に形成された信号側導電体と半田付け等によって接続されている。
【００５２】
そして、下側筐体３２の中で、入力端子５の取付位置となる第２筐体部３ｂの側面に対応する位置には、図３（ｂ）に示すように、開口端面３２ａから半円状に筐体を切り欠いてなる下側凹部３０ａが形成されている。
【００５３】
また、上側筐体３１にも、この下側凹部３０ａと対向する位置に上側凹部３０ａ（図において破線で示される）が形成されており、上側筐体３１と下側筐体３２とを組み合わせることによって、これら凹部３０ａが略円形状の孔からなる筐体側接続手段３０を形成するように構成されている。そして、筐体側接続手段３０を構成する孔の周縁には、その全周にわたって、一定の厚さを有するリング状壁３０ｂが形成されている。
【００５４】
なお、このような筐体側接続手段３０は、出力端子８の取付位置となる第１筐体部３ａの背面にも形成されている。
そして、上側筐体３１と下側筐体３２とを一体に固着する際には、筐体側接続手段３０を形成する下側筐体３２の下側凹部３０ａに形成されたリング状壁３０ｂに、入力端子５の端子側接続手段２０を構成する溝部２２が嵌り込むように入力端子５を載置し、その後、上側筐体３１の上側凹部３０ａに形成されたリング状壁３０ｂに、端子側接続手段２０を構成する溝部２２が嵌り込むように上側筐体３１を組み付けることで、入力端子５はユニット筐体３に枢着される。これは出力端子８も同様である。
【００５５】
図３（ｂ）に示すように、下側筐体３２の端面３２ａの所定位置には、内部に雌ねじが形成されたネジ孔３４が形成され、また上側筐体３１にはこれらのネジ孔３４に対向する位置に上側筐体３１を貫通する貫通孔３５が形成されている。
【００５６】
そして、互いに閉じ合わされた上側筐体３１と下側筐体３２とは、ネジ孔３４，３５に上側筐体３１側からネジ棒３６を挿入螺合することによって一体に固着される。
次に、図４（ａ）〜（ｄ）を用いて入力端子５および出力端子８の中心導体１７とプリント配線板５０に形成された信号側導電体との接続について説明する。
【００５７】
図４（ａ）〜（ｃ）は、入力端子５及び出力端子８の中心導体１７を筐体内部に引き込むための構造である接続端子５５の構成、およびその接続端子５５に中心導体１７を接続する手順を示す説明図である。また、図４（ｄ）は、プリント配線板５０に固定された接続端子５５を、図４（ａ）〜（ｃ）中の上方から見た平面図である。
【００５８】
図４（ａ）〜（ｄ）に示すように、プリント配線板５０上には、入力端子５および出力端子８が取付けられる位置に対向して、接続端子５５が備えられている。
この接続端子５５は、弾性を有する薄板状の導電材を折り曲げ加工した一対の接続片５５ａから構成されており、各接続片５５ａは、基体５６と、基体からプリント配線板５０の上方に向かって折り曲げ形成された接触片５７とから成る。接触片５７は基体５６に連設され接触片５７を中心導体に向かって付勢する付勢片５７ａと、該付勢片５７ａに引き続いて形成された前記中心導体１７を摺動保持する摺動保持部５７ｂと、摺動保持部５７ｂから上方に向かって拡開する受け部５７ｃとから構成されている。
【００５９】
そして、このような構成を有する一対の接続片５５ａを対向させて配設する事によって接続端子５５は形成されている。なお、各接続片５５ａは、基体５６から下方に向い突設した止着爪５４を、プリント配線板５０に形成されたスルーホールに挿通させて半田付けすることによって、プリント配線板５０に固着されている。
【００６０】
そして、入力端子５を下側筐体３２に装着する際に、中心導体１７は受け部５７ｃを外方向に広げながらプリント配線板５０方向に進む（図４（ｂ）参照）。そして、入力端子５の端子側接続手段２０が下側筐体３２の筐体側接続手段３０に正しく載置されると、中心導体１７は摺動保持部５７ｂに正しく収まるように構成されている。
【００６１】
そして、付勢片５７ａに付勢された接触片５７が中心導体１７との接触を良好に保持する。また、中心導体１７は上述のように、少なくともその先端部分の断面形状が円形のピン状に形成されていることから中心導体１７が回転しても接続端子５５と良好な接触が保持される。
【００６２】
＜作用効果＞
ここで直列ユニット１の取り付けについて説明し、この直列ユニット１が持つ作用効果について詳細に説明する。
【００６３】
なお、 図５は直列ユニットをスイッチボックスに取付けるための配線の状態を示す概略説明図である。特に、図５中のＡ−１〜Ａ−３は、既設の直付けタイプの直列ユニットを取り外し、各引込線の先端部を再加工した後に同軸ケーブルコネクタを組付けた状態を示す図である。図５中のＢ−１〜Ｂ−３は、入力端子，出力端子がいずれも上方に突出するように形成された従来の同軸接栓座タイプの直列ユニット（従来品１という）についての配線状態を示す図である。図５中のＣ−１〜Ｃ−３は、入力端子が上方に突出するように固定され、出力端子のみ本発明に係る直列ユニット１の入力端子５と同様な回動動作が可能となるように構成された従来の同軸接栓座タイプの直列ユニット（従来品２という）についての配線状態を示す図である。図５  Ｄ−１〜Ｄ−３が本発明に係る直列ユニット１の場合についての配線状態を示す図である。
【００６４】
但し、図５中のＡ−１，Ｂ−１，Ｃ−１，Ｄ−１は入力側の引込線と出力側の引込線が同一方向に配設された場合を示すものであり、図５中のＡ−２，Ｂ−２，Ｃ−２，Ｄ−２は入力側の引込線と出力側の引込線が同一軸線上に沿うように上下方向から配設された場合を示すものであり、図５中のＡ−３，Ｂ−３，Ｃ−３，Ｄ−３は入力側の引込線と出力側の引込線が軸線の異なる位置の上下方向から配設された場合を示すものである。
【００６５】
尚、実験の条件として入力側の引込線の長さが７ｃｍ、出力側の引込線の長さが８ｃｍであり、夫々の同軸ケーブルはＳ５ＣＦＢの先端部に同軸ケーブルコネクタを接続したものとする。
【００６６】
先ず、従来品１についてその取付性を評価すると、図５中のＢ−１に示すように、引込線が同一方向であればその取付性に問題はない。図５中のＢ−２、Ｂ−３に示すように、引込線が同一軸線に沿うように若しくは異なる位置の上下方向から引き込まれている場合は、取り付け可能であるもものの、一方の同軸ケーブルが長くないと取り付けができないと言った条件付きで取付可となる。
【００６７】
次に、従来品２についてその取付性を評価すると、図５中のＣ−１に示すように、引込線が同一方向であればその取付性に問題はない。図５中のＣ−２に示すように、引込線が同一軸線に沿うように上下方向から引き込まれている場合は、（ａ）のように出力端子を上側に向けた状態で引き回せば取り付け可能であるもものの、一方の同軸ケーブルが長くないと取り付けができないと言った条件付きでの取付が可能となる。また（ｂ）のように出力端子を下側に回転させれば、コネクタの接続時の容易性は有するものの、直列ユニットを収納する時に、同軸ケーブルが直列ユニットを取付ける為の取付枠取付用ボスに接触して収納できない場合がある。また、収納できたとしてもケーブルを急激に曲げる必要があり、これによって生じる無理な力が引込線の先端に接続されたコネクタの着脱端に加わることとなり、信頼性の問題がある。図５中のＣ−３に示すように引込線が同一軸線の異なる位置の上下方向から引き込まれている場合、取付は問題ない。
【００６８】
次に、本実施形態の直列ユニット１についてその取付性を評価すると、図５中のＤ−１に示すように、引込線が同一方向であれば従来品と同様にその取付性に問題はない。図５中のＤ−２に示すように、引込線が同一軸線に沿うように上下方向から引き込まれている場合は、出力端子を下向きになるように回転させれば、直列ユニットを収納する時に、出力端子は下方向から更に内方向に傾く（直列ユニット１では、真下を基準として更に略２０°内方向に傾く）ので、出力端子の突出方向が、下側から引き込まれている引込線の引き入れ口方向を向き、同軸ケーブルがボスに接触する事はない。これによって引込線を急激に曲げる必要がなく、引込線の先端に接続されたコネクタの着脱端に無理な力が加わることがないので、作業性よく取り付け可能であるばかりか、接続の信頼性の高い配線が可能となる。次に、図５中のＤ−３に示すように、引込線が異なる位置の上下方向から引き込まれている場合は、出力端子が下側の引込線の取り入れ口方向に向くので、引込線を格別に略Ｓ字状に加工しなくてもよく、その接続性は更に向上したものとなる。
【００６９】
以上説明したように、直列ユニット１は、スイッチボックスに収納された時に、入力端子５の回転面がスイッチボックスの開口面と直交し、且つ、スイッチボックスの後方底面に向かうように上下に回転）し、出力端子８の回転面がスイッチボックスの開口面と平行となるようにされていると共に、出力端子８の回転範囲は水平方向を０°として±９０°以上（本願の実施形態では、±１１０°）と成るように構成されている。
【００７０】
これにより、直列ユニット１によれば、スイッチボックス内への引込線の引き込み方向に関係なく、常に、同軸ケーブルの最小曲げ半径を守って配線を行うことができ、また、その接続作業も容易となるため、作業時間の短縮を図ることができる。
【００７１】
また、直列ユニット１は、特に直付けタイプのものから同軸接栓座タイプのものにリニューアル工事するに際してその有用性を著しく示すものである。
即ち、直付けタイプの直列ユニットを外した後の引込線の先端に同軸ケーブルコネクタを付け直すためには、引込線の加工済み部分を切断する必要があり、コネクタ取付後はスイッチボックス内に突出している引込線は当初より短くなってしまう。
【００７２】
ところが、直列ユニット１を用いれば、入力端子５および出力端子８の回転と、出力端子８の回転範囲の広さによって、引込線が短い場合であっても、その接続性が損なわれることはないのである。
【００７３】
ここで、本実施形態の直列ユニット１を用いるリニューアル工事の好適な例について具体的に説明する。ＵＨＦ帯を使った地上ディジタル放送が開始され、２０１１年７月には地上アナログ放送が終了する事になっている。この地上ディジタル放送を受信しようとすると、例えばすでに配線されているテレビ受信システムが直付けタイプの直列ユニットを使っていれば、直列ユニットと同軸ケーブルの着脱端である直付け部分から外部からの妨害電波を受けて、映像に、ディジタル放送特有のブロックノイズがでたり、ひどいときには映像が遮断してしまったりと言った問題が発生する場合がある。そこで、直付けタイプの直列ユニットを使用した受信システムを早急に地上ディジタル放送受信システムに対応させることが求められる。そこで、このリニューアル工事に、本発明に係る直列ユニットを用いれば、何れの受信システムにおいても、素早く容易に、且つ、安価に、地上ディジタル対応に変更することができるのである。
【００７４】
［第２の実施形態］
次に、本発明の第２の実施形態について説明する。
図６（ａ）〜（ｄ）は、本実施形態に係る直列ユニット１Ａの模式図であり、図６（ａ）は背面図、図６（ｂ）は正面図、図６（ｃ）は側面図、図６（ｄ）は上面図である。
【００７５】
なお、直列ユニット１Ａは、直列ユニット１と一部構成が異なるだけであるため、構成の相違する部分を中心に説明する。
図６（ａ）〜（ｄ）に示すように、直列ユニット１Ａは、ユニット筐体３が第２筐体部３ｂのない第１筐体部３ａだけからなる形状を有している。
【００７６】
そして、入力端子５は、出力端子８と同様に、ユニット筐体３の背面に回転可能に枢着支持され、入力端子５の回転面がユニット筐体３の背面と平行となるように配設されている。
【００７７】
このように構成された直列ユニット１Ａは、第１実施形態の直列ユニット１とは入力端子５の回転方向が異なるだけであり、直列ユニット１と同様の効果を得ることができる。
なお、入力端子５および出力端子８のうちの一方は、回転不能に固定されていてもよい。
【００７８】
［第３の実施例］
次に、本発明の第３の実施形態について説明する。
図７（ａ）〜（ｄ）は、本実施形態に係る直列ユニット１Ｂの模式図であり、図７（ａ）は背面図、図７（ｂ）は正面図、図７（ｃ）は側面図、図７（ｄ）は上面図である。
【００７９】
なお、直列ユニット１Ｂは、直列ユニット１と一部構成が異なるだけであるため、構成の相違する部分を中心に説明する。
図７（ａ）〜（ｄ）に示すように、直列ユニット１Ｂは、入力端子５の代わりに、Ｆ型プラグの外部導体と接続する接続部（着脱端）１５を二つ備え、外形形状がＴ字型を有する二又端子９５が用いられている以外は、直列ユニット１と同様に構成されている。
【００８０】
なお、二又端子９５は、一方が入力用，他方が出力用として用いられる。
このように構成された直列ユニット１Ｂによれば、二又端子９５の可動範囲が、直列ユニット１の入力端子５より制限されるものの、直列ユニット１と同様の効果を得ることができる。
【００８１】
また、直列ユニット１Ｂによれば、出力用の端子が二つ存在するため、より様々な形態の受信システムを柔軟に構成することができる。
なお、本実施形態では、二又端子９５をその接続端１６の中心軸を回転軸として回転するようにユニット筐体３に取り付けられているが、図８に示す直列ユニット１Ｃのように、接続端１６の回転軸と直交し、且つ着脱端１５の中心軸に沿った軸を回転軸として、回転するように取り付けてもよいし、回転不能に固定されていてもよい。
【００８２】
［第４の実施形態］
次に、本発明の第４の実施形態について説明する。
なお、本実施形態の直列ユニット１Ｄは、外形形状が第１実施形態のものと同じであり、入力端子５（出力端子８も同様）をユニット筐体３に枢着する部分の構造が、第１の実施形態のものと一部異なるだけであるため、この異なる部分を中心に説明する。
【００８３】
図９（ａ）は、直列ユニット１Ｄの断面図（図１（ａ）におけるＡ−Ａ線断面図に相当）、図９（ｂ）は摺動部材を説明する概略図、図９（ｃ）は摺動部材を２つ組み合わせた時の斜視図である。
【００８４】
図９（ａ）に示すように、リング状壁３０ｂの側面と溝部２２側面との間のどちらか一方若しくは両方（図では外側のみ）に、弾性導電材からなる摺動部材４０が挿入されている。
【００８５】
なお、摺動部材４０は、図９（ｂ）に示すように、半円形状の弾性金属材を波型に成形することにより構成されている。
そして、この摺動部材４０は、上側筐体３１及び下側筐体３２の凹部３０ａに入力端子５を組み付ける際に、筐体側接続手段３０を構成するリング状壁３０ｂと共に、端子側接続手段２０を構成する溝部２２に挟み込まれる。なお、各筐体３１，３２に一つずつ摺動部材４０を挟み込むことにより、ユニット筐体３が組みあがった状態では、図９（ｃ）に示すように、摺動部材４０は上下合わせて略円形状に構成されてリング状壁３０ｂの側面と溝部２２側面との外側の間に取付けられることになる。
【００８６】
このように構成された本実施形態の直列ユニット１Ｄによれば、摺動部材４０によって、入力端子５及び出力端子８の回動を滑らかにすることができると共に、入力端子５及び出力端子８とユニット筐体３との電気的接触が改善され、シールド性を向上させることができる。
【００８７】
［第５の実施形態］
次に、本発明の第５の実施形態について説明する。
図１１は、直列ユニット１Ｅを、端子台７を取り外した状態で示した斜視図である。
【００８８】
図１１に示すように、本実施形態の直列ユニット１Ｅは、ユニット筐体１０３の外形、及び入力端子１０５，出力端子１０８，テレビ端子１０６の配置、テレビ端子１０６の構成については、は第１実施形態のものと同様である。
【００８９】
但し、ユニット筐体１０３の分割構造、入力端子１０５及び出力端子１０８の構成、及びこれら端子１０５，１０８のユニット筐体１０３への枢着構造が第１実施形態とは異なっているため、以下では、その異なる部分を中心に説明する。
【００９０】
＜入力端子及び出力端子の構成＞
図１２（ａ）は図１１に示された入力端子１０５及び出力端子１０８を拡大した側面図であり、図１２（ｂ）は正面図、図１２（ｃ）は図１２（ｂ）におけるＢ−Ｂ線断面図である。
【００９１】
尚、説明を簡単にするために以下の説明では入力端子１０５について説明し、同様の構成である出力端子１０８の説明は省略する。
図１２（ａ）〜（ｃ）に示すように、入力端子１０５はＬ字状に接続された中心導体１１１と、その中心導体１１１に対して同心的（即ち断面が円形の円筒状）に設けられた外部導体１１２とを有し、Ｌ字状の外形を有するＦ型接栓座からなる。なお、以下では、入力端子１０５において、Ｌ字を形成する二つの部位のうち、ユニット筐体１０３に取り付けられる側の部位を接続端１１６、Ｆ型プラグが着脱される側の部位を着脱端１１５という。
【００９２】
また、着脱端１１５における外部導体１１２の外周面にはネジ山が形成されている。一方、接続端１１６における外部導体１１２の外周面には、ユニット筐体１０３と電気的接続を保ちながら該ユニット筐体１０３に形成された後述する筐体側接続手段（図１３に示される１３０）に枢着するための端子側接続手段１２０が形成されている。
【００９３】
なお、端子側接続手段１２０は、接続端１１６における外部導体１１２に全周に亘って形成された鍔部１２１と、鍔部１２１より接続端１１６の先端側に全周に亘って形成された溝部１２２とからなる。
【００９４】
中心導体１１１は、薄板状の金属材を折り曲げ成形することで製造されたものであり、その両端には、同軸ケーブルの中心軸や断面が円形に形成されたコンタクトピンを受入れるバネ性を有した受け部１１１ａ，１１１ｂが形成されている。
【００９５】
そして、中心導体１１１は、Ｌ字を形成する直線状に形成された二つの部分が、それぞれ絶縁体１１３，１１８によって、それぞれ着脱端１１５及び接続端１１６の中心軸の位置に配置されるように保持されている。
【００９６】
尚、絶縁体１１３，１１８は周知の圧入や接着剤等によって外部導体１１２の内部に固着される。また、中心導体１１１及び絶縁体１１３，１１８を外部導体１１２に組み付ける際には、中心導体１１１を弾性変形させて外部導体１１２に挿入すればよい。
【００９７】
＜ユニット筐体の構成＞
ユニット筐体１０３は、図１１に示すように、第１実施形態におけるユニット筐体３と同様に、前方に位置する第１筐体部１０３ａと、第１筐体部１０３ａの背面から後方に突設され、水平方向の寸法が第１筐体部１０３ａより短い第２筐体部１０３ｂとからなり、これら第１筐体部１０３ａと第２筐体部１０３ｂとは、連続した内部空間を形成するように構成されている。
【００９８】
ここで、図１３は、直列ユニット１Ｅを分解した状態で示す斜視図である。
図１３に示すように、ユニット筐体１０３は、上面に開口を有し、プリント配線板１５０を収納する箱状ケース１３１と、箱状ケース１３１の開口を塞ぐ蓋体１３２とからなり、これら箱状ケース１３１及び蓋体１３２を一体に固着することで形成されている。
【００９９】
そして、箱状ケース１３１には、入力端子１０５及び出力端子１０８の取付位置に、箱状ケース１３１を円形状に切り欠いてなる筐体側接続手段としての取付孔１３０が形成されている。
【０１００】
また、プリント配線板１５０には、入力端子１０５及び出力端子１０８の受け部１１１ｂに接続されるコネクトピン１５３が設けられており、これらコネクトピン１５３は、プリント配線板１５０を箱状ケース１３１内に収納した時に、取付孔１３０の中心を貫通するように配置されている。また、コネクトピン１５３は、プリント配線板１５０上に形成された信号側導体に半田付け等によって接続されている。
【０１０１】
＜入力端子及び出力端子の取付＞
図１４（ａ）は、入力端子１０５を枢着する取付孔１３０付近の構造を示す断面図である。
【０１０２】
図１４（ａ）に示すように、入力端子１０５は、接続端１１６に形成された鍔部１２１より先端側の部分が取付孔１３０に挿入されている。そして、箱状ケース１３１の外面と鍔部１２１との間に配置された皿バネ座金１４０と、箱状ケース１３１の内部にて、溝部１２２に取り付けられた係止片（例えば、Ｅ型止め輪）１４５とにより、入力端子１０５は、取付孔１３０に枢着されている。
【０１０３】
なお、皿バネ座金１４０とは、図１５（ａ）に示す平面形状と、図１５（ｂ）に示す断面形状を有する周知のものである。また、出力端子１０８も同様の構造で取付孔１３０に枢着されている。
【０１０４】
＜効果＞
以上説明したように、直列ユニット１Ｅでは、入力端子１０５及び出力端子１０８とユニット筐体１０３とが接触する部分（以下、枢着部分という）に、接触部位が線接触となる皿バネ座金１４０を配置している。
【０１０５】
従って、直列ユニット１Ｅによれば、この枢着部分に、接触部位が点接触となる摺動部材４０を用いる場合と比較して、枢着部分からユニット筐体１０３内への電磁波の侵入を、より確実に防止することができるため、イミュニティを更に向上させることができると共に、枢着部分の全周にわたって均一な弾性が得られるため、入力端子１０５及び出力端子１０８をスムーズで滑らかに回動させることができる。
【０１０６】
なお、本実施形態では、鍔部１２１を、ユニット筐体１０３の外面と平行となるように直線的に構成したが、図１４（ｂ）に示すように、鍔部１２１の先端部分を、溝部１２２側に向けて屈曲させ、ユニット筐体１０３の外面と共に袋状の空間を形成する形状に構成してもよい。この場合、皿バネ座金１４０によって鍔部１２１とユニット筐体１０３の外面との間に生じる隙間をより小さくすることができ、その結果、直列ユニット１Ｅのイミュニティをより一層向上させることができる。
【０１０７】
なお、本実施形態にて説明したユニット筐体１０３，入力端子１０５，出力端子１０８の構造、及び入力端子１０５，出力端子１０８を枢着するための構造は、第１実施形態の直列ユニット１に限らず、第２〜第３実施形態として示した直列ユニット１Ａ〜１Ｃに適用してもよい。
【０１０８】
［第６の実施形態］
次に、本発明の第６の実施形態について説明する。
本実施形態の直列ユニット１Ｆは、第４実施形態の直列ユニット１Ｅとは一部構成が異なるだけであるため、この異なる部分を中心に説明する。
【０１０９】
＜全体構成＞
図１６は、直列ユニット１Ｆの斜視図であり、図１７は、直列ユニット１Ｆを分解した状態で示した斜視図である。但し、いずれも端子台７を除去した状態を示す。また、図１７では、図面を見やすくするため、入力端子１０５及び出力端子１０８を簡易化して示すと共に、入力端子１０５及び出力端子１０８の枢着に用いる皿バネ座金１４０の図示を省略している。
【０１１０】
図１６及び図１７に示すように、直列ユニット１Ｆは、テレビ端子１０６を二つ備えている。
つまり、入力端子１０５から入力された信号を三分岐して、出力端子１０８及び二つのテレビ端子１０６から出力するように構成されている。
【０１１１】
また、各端子１０５，１０６，１０８が設けられるユニット筐体２０３は、第１のプリント配線板１５０を収納し、第６実施形態におけるユニット筐体１０３と同様の外形形状を有する第１筐体部２０３ａと、その下部に延設され、第２のプリント配線板１５５を収納する第２筐体部２０３ｂとからなり、両者は連続した内部空間を形成するように構成されている。
【０１１２】
＜ユニット筐体の構成＞
そして、ユニット筐体２０３は、第１筐体部２０３ａの上面、及び第２筐体部２０３ｂの背面に、プリント配線板１５０，１５５の収納を可能とするための開口が形成された箱状ケース２３１と、それらの開口を塞ぐ蓋体２３２，２３３とからなり、これら箱状ケース２３１及び蓋体２３２，２３３を一体に固着することで形成されている。
【０１１３】
なお、第１のプリント配線板１５０は、第２のプリント配線板１５５との接続に用いる接続端子（図示せず）を有する以外は、第６実施形態におけるプリント配線板１５０と同様に構成され、第２のプリント配線板１５５は、下側のテレビ端子の中心導体が半田付け等によって固定されると共に、第１のプリント配線板１５０の接続端子に半田付けされる接続端子（図示せず）を有している。
【０１１４】
また、入力端子１０５，出力端子１０８の構成及び枢着構造は、第６実施形態の場合と同様であるため、ここでは説明を省略する。
＜効果＞
以上説明したように、直列ユニット１Ｆは、テレビ端子１０６が二つ設けられている以外は、第６実施形態の直列ユニット１Ｅと同様に構成されているため、これと同様の効果を得ることができるだけでなく、多くのテレビ端子１０６を設ける必要がある場合に、好適に用いることができる。
【０１１５】
［他の実施形態］
尚、本発明は上記実施の形態に限定されるものではなく、以下に示すように各部の構成を適宜に変更して実施することも可能である。
【０１１６】
例えば、上記各実施形態において、入力端子５，１０５と出力端子８，１０８とを入れ替えて構成してもよい。
また、出力端子８，１０８は必ずしも必要ではなく、省略されていてもよい。但し、この場合、入力端子５，１０５の回転面は、テレビ端子６，１０６の中心軸と直交するように構成する必要がある。
【０１１７】
また、テレビ端子６，１０６は、３個以上設けられていてもよい。
また、第５及び第６の実施形態の入力端子１０５の代わりに、第３実施形態にて示した二又端子９５を用いてもよい。
【０１１８】
また、第５，第６実施形態において、皿バネ座金１４０の挿入位置は、鍔部１２１とユニット筐体１０３，２０３の外壁面との間に限らず、ユニット筐体１０３，２０３の内壁面と係止片１４５との間であってもよい。更に、第４〜第６実施形態では、入力端子５，１０５や出力端子８，１０８の枢着部位に、半円形状の弾性金属材を波型に成形してなる摺動部材４０や皿バネ座金１４０を挿入しているが、これら以外の座金を挿入してもよい。
【図面の簡単な説明】
【０１１９】
【図１】本発明の第１実施形態に係る直列ユニットの模式図であり、（ａ）は背面図、（ｂ）は正面図、（ｃ）は側面図、（ｄ）は上面図である。
【図２】（ａ）は図１に示される入力端子及び出力端子を拡大した側面図であり、（ｂ）は正面図、（ｃ）は図２（ｂ）におけるＢ−Ｂ線断面図である。
【図３】（ａ）は図１（ａ）におけるＡ−Ａ線断面図であり、（ｂ）は下側筐体の一部を破断した斜視図である。
【図４】入力端子及び出力端子の中心導体と筐体内部に引き込むための接続方法を示す一部を拡大した説明図である。
【図５】直列ユニットをスイッチボックスに引き込むための配線の状態を示す概略説明図である。
【図６】本発明の第２実施形態に係る直列ユニットの模式図であり、（ａ）は背面図、（ｂ）は正面図、（ｃ）は側面図、（ｄ）は上面図である。
【図７】本発明の第３実施形態に係る直列ユニットの模式図であり、（ａ）は背面図、（ｂ）は正面図、（ｃ）は側面図、（ｄ）は上面図である。
【図８】第３実施形態の変形例に係る直列ユニットの模式図であり、（ａ）は背面図、（ｂ）は正面図、（ｃ）は側面図、（ｄ）は上面図である。
【図９】本発明の第４実施形態を示す説明図であり、（ａ）は図１（ａ）におけるＡ−Ａ線断面図、（ｂ）は摺動部材を説明する概略図、（ｃ）は摺動部材を２つ組み合わせた時の斜視図である。
【図１０】端子台を示す斜視図である。
【図１１】本発明の第５実施形態に係る直列ユニットを、端子台を取り外した状態で示した斜視図である。
【図１２】（ａ）は図１１に示される入力端子及び出力端子を拡大した側面図であり、（ｂ）は正面図、（ｃ）は図１２（ｂ）におけるＢ−Ｂ線断面図である。
【図１３】第５実施形態に係る直列ユニットを分解した状態で示す斜視図である。
【図１４】（ａ）は入力端子を枢着する取付孔付近の構造を示す断面図であり、（ｂ）はその変形例の構造を示す断面図である。
【図１５】（ａ）は皿バネ座金の平面形状を示す平面図、（ｂ）はその断面形状を示す断面図である。
【図１６】本発明の第６実施形態に係る直列ユニットを、端子台を取り外した状態で示した斜視図である。
【図１７】第６実施形態に係る直列ユニットを分解した状態で示す斜視図である。
【符号の説明】
【０１２０】
１，１Ａ〜１Ｆ…直列ユニット、３，１０３，２０３…ユニット筐体、３ａ，１０３ａ，２０３ａ…第１筐体部、３ｂ，１０３ｂ，２０３ｂ…第２筐体部、５，１０５…入力端子、６，１０６…テレビ端子、７…端子台、８，１０８…出力端子、９，１１，１７，１１１…中心導体、１２，１１２…外部導体、１３，１８，１１３，１１８…絶縁体、１４…蓋体、１５，１１５…着脱端、１６，１１６…接続端、２０，１２０…端子側接続手段、２１…突起部、２２，１２２…溝部、３０…筐体側接続手段、３０ａ…凹部、３０ｂ…リング状壁、３１…上側筐体、３２…下側筐体、３３…前面壁、３４…ネジ孔、３５…貫通孔、３６…ネジ棒、３８…突設片、４０…摺動部材、５０，１５０，１５５…プリント配線板、５４…止着爪、５５…接続端子、５６…基体、５７…接触片、５７ａ…付勢片、５７ｂ…摺動保持部、５７ｃ…受け部、７１…孔、７３…係止部、９５…二又端子、１２１…鍔部、１３０…取付孔、１３１，２３１…箱状ケース、１３２，２３２，２３３…蓋体、１４０…皿バネ座金、１５３…コネクトピン。
【図１】
2008091318.tif 000003
【図２】
2008091318.tif 000004
【図３】
2008091318.tif 000005
【図４】
2008091318.tif 000006
【図５】
2008091318.tif 000007
【図６】
2008091318.tif 000008
【図７】
2008091318.tif 000009
【図８】
2008091318.tif 000010
【図９】
2008091318.tif 000011
【図１０】
2008091318.tif 000012
【図１１】
2008091318.tif 000013
【図１２】
2008091318.tif 000014
【図１３】
2008091318.tif 000015
【図１４】
2008091318.tif 000016
【図１５】
2008091318.tif 000017
【図１６】
2008091318.tif 000018
【図１７】
2008091318.tif 000019